(57)【要約】【課題】ワイヤソーによる押し切りにおいて、必然的に生ずるワイヤソーの弛みを解消するため、複雑な機構を付加することなく、自走機械のアーム先端に取り付けたワイヤソー切断装置とワイヤソーで押し切りを可能とする切断装置及び切断方法を提案する。【解決手段】バックホー又は油圧ショベル等の自走機械のアーム先端に取り付けたワイヤソー切断装置のガイドシーブ及び複数のガイドプーリにワイヤソーを巻き付けて押し切り切断する装置・方法において、切断に伴ってワイヤソーの弛みを発生する場合に、自走機械自体の移動によって簡単に解消し、かつ押し切りに発生するコア孔内のガイドプーリの偏倚を解消するためコア孔に接するガイドローラをガイドプーリ付近に設けたワイヤソー切断装置及び切断方法。【選択図】図１
2007176071.tif 000002
【特許請求の範囲】
【請求項１】
旋回上下左右前後可能ブームアームを備えた自走機械のアーム先端に押し切り用ワイヤソー装置を取り付けたことを特徴とする切断装置。
【請求項２】
旋回上下左右前後可能ブームアームを備えた自走機械のアーム先端に押し切り用ワイヤソー装置を取り付けた切断装置において、押し切り用ワイヤソー装置はワイヤソーを案内する複数の支持棒とプーリと先端側ガイドプーリの付近に位置保持用ガイドローラを設け、支持棒が反対側ガイドプーリ側に撓むのを阻止する構成としたことを特徴とする切断装置。
【請求項３】
旋回上下左右前後可能ブームアームを備えた自走機械のアーム先端に押し切り用ワイヤソー装置を取り付けた切断装置において、自走機械との取り付けブラケットの平面板に軸を設け、同心の周囲位置に設けたボルトで下側ブラケットと締結して取り外し可能に一体化したことを特徴とする切断装置。
【請求項４】
旋回上下左右前後可能ブームアームを備えた自走機械のアーム先端に押し切り用ワイヤソー装置又は回転ブレードを取り付けた切断装置において、自走機械との取り付けブラケットの平面板に軸を設け、同心の周囲位置に設けたボルトで下側ブラケットと締結して取り外し可能に一体化したことを特徴とする切断装置。
【請求項５】
自走機械のアーム先端にワイヤソー切断装置を取り付けて押し切りをする方法において、ワイヤソー切断装置の先端にワイヤソーを誘導するガイドプーリを設け、先に穿孔したコア孔にワイヤソーを巻き付けたガイドプーリを進入させ、ワイヤソーを移送させてワイヤソーに接する被切断物を切断し、かつワイヤソーが切断に伴って緊張状態が不足した場合に自走機械の位置を調節ワイヤソー切断装置全体の位置をずらしてワイヤソー緊張状態を保持するようにしたことを特徴とする切断方法。
【発明の詳細な説明】
【技術分野】
【０００１】
本発明は、例えば建設現場でコンクリート等を切断するためのワイヤソー又はブレード切断装置及び切断方法に関する。
【背景技術】
【０００２】
従来、コンクリート・石材等の切断においてワイヤソーを用いる場合は、引き切りと押し切りとに分類される。後者は例えば、図６に示すように、駆動装置１１を駆動するモータを始動させて駆動輪１１ｂを回転させてワイヤーソーＷｓを高速走行させ、ワイヤソー押込装置２２のモータを始動させて車輪２２ａ１を徐々に回転させ、かつワイヤソーの余長調整装置１２の間隔調節手段１２ｃ１を始動させて間隔調節体１２ｃの長さを徐々に短縮して、押込装置２２を前進させて、押込装置２２の腕状支持体２２ｃ１，２２ｃ２の先端のガイドプーリー２２ｄ１，２２ｄ２を予め穿孔しておいた横孔Ｓｔ１内に挿入しながら、走行するワイヤーソーＷｓを構造物Ｓｔに前側から押し付け、構造物Ｓｔのコンクリート、鉄筋、鉄骨等を切断する。切断量に応じて、押込装置２２を前進させ、間隔調節体１２ｃの長さを短縮する。切断部には冷却水を供給し続けることにより、構造物Ｓｔを縦・横に押し切るように構成した押し切り切断方法が知られている。
【０００３】
この場合、この方法ではワイヤソーの駆動装置１１と余長調整装置１２とを同時に同期駆動してワイヤソーＷｓの張力を一定とする特殊な制御方法が必要となり、全体の構成が複雑になってしまう。また余長調整装置１２の作用のために長めのワイヤソーが必要となり、余長調整装置１２内の多くのプーリ１２ｄ１，１２ｄ２…を介するため摩擦抵抗が多くなり、駆動モータの負荷が大きく、運転効率が悪い等の欠点を有する。
【０００４】
【特許文献１】特開平７−１６４４２９
【発明の開示】
【発明が解決しようとする課題】
【０００５】
解決しようとする問題点は、ワイヤソーによる押し切りにおいて、ワイヤソーの余長調整機能を簡素化して微小移動駆動を可能としかつ余長調節機能のためのワイヤソー通過部分のワイヤソー長さを短くでき、
押し切り時に被加工物付近のワイヤソーの案内プーリの支持体が撓んで被加工物に接してしまい大きな抵抗を作ることがある欠点を解消し、
更に同じ動力源でワイヤソー加工の押し切り・引き切りと共に回転ブレードによる切断を即座に切り替えて切断を可能とし、
更に自走機械のアーム先端位置に対し縦軸及び横軸に方向に自由に傾斜して切断装置のワイヤソーガイドシーブを自由に操作可能とし、又は切断装置に取り付けた回転ブレードを自由に操作可能とし、傾斜面切断が可能となる切断装置・切断方法を提案することを目的とする。
【課題を解決するための手段】
【０００６】
本発明は、第１に、旋回上下左右前後可能ブームアームを備えた自走機械のアーム先端に押し切り用ワイヤソー装置を取り付けた切断装置である。
【０００７】
第２に、押し切り用ワイヤソー装置はワイヤソーを案内する複数の支持棒とプーリと先端側ガイドプーリの付近に位置保持用ガイドローラを設け、支持棒が反対側ガイドプーリ側に撓むのを阻止する構成とした切断装置である。
【０００８】
第３に、ワイヤソー装置の自走機械との取り付けブラケットの平面板に軸を設け、同心の周囲位置に設けたボルトで下側ブラケットと締結して取り外し可能に一体化した切断装置である。
【０００９】
第４に、自走機械のアーム先端にワイヤソー切断装置を取り付けて押し切りをする方法において、ワイヤソー切断装置の先端にワイヤソーを誘導するガイドプーリを設け、先に穿孔したコア孔にワイヤソーを巻き付けたガイドプーリを進入させ、ワイヤソーを移送させてワイヤソーに接する被切断物を切断し、かつワイヤソーが切断に伴って緊張状態が不足した場合に自走機械の位置を調節ワイヤソー切断装置全体の位置をずらしてワイヤソー緊張状態を保持するようにした切断方法である。
【発明の効果】
【００１０】
本発明は、第１に、旋回上下左右前後可能ブームアームを備えた自走機械のアーム先端に押し切り用ワイヤソー装置を取り付けた切断装置としたので、従来のようにワイヤソーを弛みを解消するための特別の機構を設ける必要がなくなり、切断装置の全体の構成を簡素化でき、廉価に提供できる効果を有する。
【００１１】
第２に、押し切り用ワイヤソー装置はワイヤソーを案内する複数の支持棒とプーリと先端側ガイドプーリの付近に位置保持用ガイドローラを設け、支持棒が反対側ガイドプーリ側に撓むのを阻止する構成としたので、押し切りに必要なコア孔が深くなればなるほど切断位置のガイドプーリの位置が不安定になり、切断時の引っ張り力でガイドプーリがコア孔に接して大きな摩擦抵抗を作る虞れがあるが、ガイドローラによって常に一定のガイドローラの位置を保持し得るため切断位置も設定時のまま最後まで切断することができる。
【００１２】
第３に、ワイヤソー装置の自走機械との取り付けブラケットの平面板に軸を設け、同心の周囲位置に設けたボルトで下側ブラケットと締結して取り外し可能に一体化したので、被切断物の切断作業において残す箇所がある場合に従来のワイヤソー切断では斜めに切断できなかったが、水平面及び垂直面に対しある角度をもってワイヤソー切断面を設定しうることになり、自由な切断面を得ることが可能となり、石材の切り出し時に爾後の調整切りを省略することができる。
【００１３】
第４に、自走機械のアーム先端にワイヤソー切断装置を取り付けて押し切りをする方法において、ワイヤソー切断装置の先端にワイヤソーを誘導するガイドプーリを設け、先に穿孔したコア孔にワイヤソーを巻き付けたガイドプーリを進入させ、ワイヤソーを移送させてワイヤソーに接する被切断物を切断し、かつワイヤソーが切断に伴って緊張状態が不足した場合に自走機械の位置を調節ワイヤソー切断装置全体の位置をずらしてワイヤソー緊張状態を保持するようにした切断方法であるので、従来の切断方法のようにワイヤソー切断の進行に伴って常にワイヤソーの緊張状態を維持するための複雑な保持機構が不要となり、操作自体も簡素化される効果を有する。
【発明を実施するための最良の形態】
【００１４】
旋回上下左右前後可能ブームアームを備えた自走機械のアーム先端に押し切り用ワイヤソー装置を取り付けた切断装置において、
押し切り用ワイヤソー装置はワイヤソーを案内する複数の支持棒とプーリと先端側ガイドプーリの付近に位置保持用ガイドローラを設け、支持棒が反対側ガイドプーリ側に撓むのを阻止する構成とし、
ワイヤソー装置の自走機械との取り付けブラケットの平面板に軸を設け、同心の周囲位置に設けたボルトで下側ブラケットと締結して取り外し可能に一体化した切断装置であり、
更に、自走機械のアーム先端にワイヤソー切断装置を取り付けて押し切りをする方法において、ワイヤソー切断装置の先端にワイヤソーを誘導するガイドプーリを設け、先に穿孔したコア孔にワイヤソーを巻き付けたガイドプーリを進入させ、ワイヤソーを移送させてワイヤソーに接する被切断物を切断し、かつワイヤソーが切断に伴って緊張状態が不足した場合に自走機械の位置を調節ワイヤソー切断装置全体の位置をずらしてワイヤソー緊張状態を保持するようにした切断方法である。
【実施例】
【００１５】
図１は本発明装置の一実施例を示す側面図である。バックホー・油圧ショベルのアーム（図示せず）に取り付けられるブラケット１０に取り付けたワイヤソー駆動装置２０が設けられる。駆動装置２０はワイヤソーのガイドシーブ２４が内蔵の油圧モータで回転駆動される。更にワイヤソーで押し切りするため、駆動装置２０の先端部に支柱３１が取り付けられ、支柱３１には左右に延長したガイドプーリ用軸受棒３２が設けられている。そして軸受棒３２の先端にガイドプーリ３０が左右夫々回転可能に取り付けられ、ワイヤソー９の案内をする。更に軸受棒３２の先端から被切削物に予め穿設したコア孔に挿入可能な大きさのガイドプーリ４１を支持する支持棒４２がガイドプーリ３０側より夫々直交配置されて延長形成される。支持棒４２はワイヤソー引き切りの際には、取り外すことが可能となる。
【００１６】
したがって、駆動装置２０側のガイドシーブ２４からガイドプーリ３０、４１に夫々ワイヤソー９を掛け渡すことにより、図１に示すように、駆動装置２０が前進移動するにしたがって全体が移動することになり、ワイヤソー９の弛みをキャンセルするための大がかりな装置は不要となる。
【００１７】
駆動装置１０の詳細は、図２及び図３に示す。１０はバックホーブラケットを示し、ブラケット１０は上側が自走機械例えばバックホー（油圧ショベル）のアーム先端のピン取り付け孔の位置と一致するように横方向に穿設した支軸用ピン孔１１が２カ所設けられ、下側がワイヤソー駆動装置を支持するためのブラケット１２とされ、双方はボルト１３で回動可能に締結されている。すなわち図２に示すように、ブラケット１０の平面板１０ａに対し垂直の軸１４が植設固定され、下側のブラケット１２には軸１４が回動可能な孔が設けられている。尚、軸１４の取り付け関係は反対としても良い。そして軸１４の中心と同心位置に任意の角度例えば４５度毎にボルト１３が取り付けられている。
【００１８】
したがって、ブラケット１０に対し下側のブラケット１２は所定の角度任意に回動可能となり、ワイヤソー駆動装置２０のガイドシーブ２４の延長方向がアームの軸心に対して水平面で傾けることが可能となる。またブラケット１０，１２に対し駆動装置２０が水平方向に設けた軸１６を設け、軸１６を中心に駆動装置２０が傾斜可能にボルト２１で取り付けられている。そのため垂直面と水平面に対して任意の角度で駆動装置２０すなわちガイドシーブ２４の回転面を傾斜させることができる。
【００１９】
図中、２１は駆動装置の基台、２２は油圧モータ、２３は制御弁、２５はガイドシーブ２４の回転軸受、２６は回転駆動軸、２７はガイドシーブ２４のカバー、２８，２９はカバーを示す。
【００２０】
この装置は、図１に示すように、支柱４２の内側すなわち他の支柱４２に面する側に、ガイドローラ５１がローラ回転軸５２及び支持棒５３と共に一体に取り付けられている。尚、図示の一点鎖線はコア孔の内面を示し、使用に際してはガイドローラ５１が常にコア孔の内壁に接するように調整される。
【００２１】
そのためガイドローラ５１は、図４に示すように、ガイドローラ５１がコア孔６１の内壁に接するため、支柱４２が上下に変動しなくなるので、初期設定した切断位置を安定して保持しうることになる。
【００２２】
次に切断装置の動作を説明する。被切断物例えば構造物のコンクリートの塊や採石場の自然の石に対し、図５に示すように、所定位置に先に開けたコア孔６１に進入した左右のガイドプーリ４１はワイヤソーの被切断物との抵抗が生じ、夫々反対側のガイドプーリ４１側に引き寄せられてガイドプーリ４１がコア孔６１に接して更に抵抗を作ることがあるが、支柱４２のガイドプーリ４１付近に設けたガイドローラ５１によって、図４に示すように、コア孔６１の内周面に接して移動するため、ガイドプーリ４１がコア孔６１に接して発生する摩擦抵抗が大きくなることを解消できる。この場合、ガイドプーリの位置は、図４に示すように、ガイドローラ５１の外周面がコア孔６１の内周面に接するため、下がることがなくその位置がほぼ正確に保持することができる。
【００２３】
この場合、基準となるバックホーのアーム延長方向に対し平行に設定したワイヤソー駆動装置すなわちガイドシーブの向きを必要な角度に変更するには、ブラケット１０，１２の締結用ボルト１３，２１ａを一旦取り外して所定角度例えば４５度軸１４，１６を中心に回動することにより、自走機械の本体の水平面及び垂直面に対し例えば４５度その他の傾斜角度を持つワイヤソー駆動装置となる。そのためメインガイドシーブ２４の回転面が基準面より４５度又はその他の角度での傾斜状態で回転可能となりかつ前後の移動も同様に４５度傾斜面をそのまま保持して動作することになる。
【００２４】
そのため切断箇所において、切断対象でない障害物等があった場合に、自走機械が基準の平行位置では充分な必要なワイヤソー切断が困難となったとき、ブラケット１０に対しネジ１３，２１ａを外して必要な角度に設定し直して用いることができるため、必要な傾斜面に対する切断や障害物に影響されることなくワイヤソー切断が可能となる。
【産業上の利用可能性】
【００２５】
自走機械例えばクローラ式・タイヤ式のバックホー・油圧ショベルのアーム先端に設けて使用し、コンクリート・石材・ＦＲＰ材その他一般的な硬質な物の切断装置に適用可能である。
【図面の簡単な説明】
【００２６】
【図１】切断装置の一例を示す説明図
【図２】駆動装置の一例を示す平面図
【図３】駆動装置の一例を示す側面図
【図４】コア孔とガイドローラとの関係を示す図
【図５】切断装置の動作を説明する図
【図６】自由雷の構成を説明する図
【符号の説明】
【００２７】
９  ワイヤソー
１０  ブラケット
２０  駆動装置
２４  ガイドシーブ
４１  ガイドプーリ
５１  ガイドローラ
【図１】
2007176071.tif 000003
【図２】
2007176071.tif 000004
【図３】
2007176071.tif 000005
【図４】
2007176071.tif 000006
【図５】
2007176071.tif 000007
【図６】
2007176071.tif 000008